(57)【特許請求の範囲】
【請求項１】
所望の検索キーワードに基づくＷｅｂ情報の検索処理を要求する複数の携帯端末と、前記携帯端末を操作するユーザの識別情報ごとのユーザ属性情報を記憶した管理装置とに、ネットワークを介して接続された関連キーワード生成装置において、
前記携帯端末から送信された、当該携帯端末を操作するユーザの識別情報を取得し、取得したユーザの識別情報に対応するユーザ属性情報を前記管理装置から取得するユーザ属性情報取得部と、
前記携帯端末からＷｅｂ情報の検索処理のために送信された検索キーワードと、当該検索キーワードが送信されたときの検索日時情報とを取得する検索キーワード取得部と、
前記携帯端末から送信された、自端末の位置情報を取得する位置情報取得部と、
予め設定された場所名ごとの位置情報の範囲情報を保持し、この範囲情報に基づいて、前記位置情報取得部で取得された位置情報に該当する場所名を特定する場所名特定部と、
前記検索キーワード取得部で取得された検索キーワードを前記場所名特定部で特定された場所名ごとに分類し、さらに、前記検索キーワードについて取得された前記検索日時情報および前記ユーザ属性情報に基づいて、検索キーワードごとの、予め設定された前記検索日時情報および前記ユーザ属性情報の分類条件にそれぞれ該当する受信回数の比率を集計するキーワード分類部と、
前記キーワード分類部において場所名ごとに分類された検索キーワードの、前記分類条件ごとの集計結果を格納したキーワードＤＢを記憶するキーワードＤＢ記憶部と、
所望の場所名と、所望の日時情報またはユーザ属性情報とを含む情報とにより表示条件が指示されると、前記キーワードＤＢ記憶部に記憶されたキーワードＤＢに基づいて、指示された場所名に分類された検索キーワードの受信回数の集計値に、指示された日時情報またはユーザ属性情報の分類条件が該当する受信回数の比率を掛け合わせた値で示される優先指数値を、該当する検索キーワードごとに算出し、算出した優先指数値が高いものから所定数の検索キーワードを抽出し、これに基づいて、所定のデジタルサイネージディスプレイに表示させる表示情報を検索するための関連キーワード情報を生成する関連キーワード生成部と
を備えることを特徴とする関連キーワード生成装置。
【請求項２】
前記検索キーワード取得部は、取得した検索キーワードに場所名に該当する情報が含まれているかを監視し、
前記キーワード分類部は、前記検索キーワード取得部において取得された検索キーワードに場所名に該当する情報が含まれていると判断されたときには、前記検索キーワード取得部で取得された検索キーワードを、当該検索キーワードの情報に含まれる場所名にごとに分類する
ことを特徴とする請求項１に記載の関連キーワード生成装置。
【請求項３】
前記検索キーワード取得部は、前記携帯端末において取得されたＷｅｂ情報に場所名に該当する情報が含まれているかを監視し、
前記キーワード分類部は、前記携帯端末において取得されたＷｅｂ情報に場所名に該当する情報が含まれていると前記検索キーワード取得部において判断されたときには、前記検索キーワード取得部で取得された検索キーワードを、当該検索キーワードの情報に含まれる場所名にごとに分類する
ことを特徴とする請求項１または２に記載の関連キーワード生成装置。
【請求項４】
所望の検索キーワードに基づくＷｅｂ情報の検索処理を要求する複数の携帯端末と、前記携帯端末を操作するユーザの識別情報ごとのユーザ属性情報を記憶した管理装置とに、ネットワークを介して接続された関連キーワード生成装置が、
前記携帯端末から送信された、当該携帯端末を操作するユーザの識別情報を取得し、取得したユーザの識別情報に対応するユーザ属性情報を前記管理装置から取得するユーザ属性情報取得ステップと、
前記携帯端末からＷｅｂ情報の検索処理のために送信された検索キーワードと、当該検索キーワードが送信されたときの検索日時情報とを取得する検索キーワード取得ステップと、
前記携帯端末から送信された、自端末の位置情報を取得する位置情報取得ステップと、
予め設定された場所名ごとの位置情報の範囲情報を保持し、この範囲情報に基づいて、前記位置情報取得ステップで取得された位置情報に該当する場所名を特定する場所名特定ステップと、
前記検索キーワード取得ステップで取得された検索キーワードを前記場所名特定ステップで特定された場所名ごとに分類し、さらに、前記検索キーワードについて取得された前記検索日時情報および前記ユーザ属性情報に基づいて、検索キーワードごとの、予め設定された前記検索日時情報および前記ユーザ属性情報の分類条件にそれぞれ該当する取得回数の比率を集計するキーワード分類ステップと、
前記キーワード分類ステップにおいて場所名ごとに分類された検索キーワードの、前記分類条件ごとの集計結果を格納したキーワードＤＢを記憶するキーワードＤＢ記憶ステップと、
所望の場所名と、所望の日時情報またはユーザ属性情報とを含む情報とにより表示条件が指示されると、前記キーワードＤＢ記憶ステップで記憶されたキーワードＤＢに基づいて、指示された場所名に分類された検索キーワードの受信回数の集計値に、指示された日時情報またはユーザ属性情報の分類条件が該当する受信回数の比率を掛け合わせた値で示される優先指数値を、該当する検索キーワードごとに算出し、算出した優先指数値が高いものから所定数の検索キーワードを抽出し、これに基づいて、所定のデジタルサイネージディスプレイに表示させる表示情報を検索するための関連キーワード情報を生成する関連キーワード生成ステップと
を有することを特徴とする関連キーワード生成方法。
【請求項５】
前記検索キーワード取得ステップでは、取得した検索キーワードに場所名に該当する情報が含まれているかを監視し、
前記キーワード分類ステップでは、前記検索キーワード取得ステップにおいて取得された検索キーワードに場所名に該当する情報が含まれていると判断されたときには、前記検索キーワード取得ステップで取得された検索キーワードを、当該検索キーワードの情報に含まれる場所名にごとに分類する
ことを特徴とする請求項４に記載の関連キーワード生成方法。
【請求項６】
前記検索キーワード取得ステップでは、前記携帯端末において取得されたＷｅｂ情報に場所名に該当する情報が含まれているかを監視し、
前記キーワード分類ステップでは、前記携帯端末において取得されたＷｅｂ情報に場所名に該当する情報が含まれていると前記検索キーワード取得ステップにおいて判断されたときには、前記検索キーワード取得ステップで取得された検索キーワードを、当該検索キーワードの情報に含まれる場所名にごとに分類する
ことを特徴とする請求項４または５に記載の関連キーワード生成方法。
【請求項７】
請求項４ないし６いずれか１項に記載の関連キーワード生成方法をコンピュータに実行させるための関連キーワード生成プログラム。
【発明の詳細な説明】
【技術分野】
【０００１】
本発明は、デジタルサイネージや携帯端末に提供する情報を抽出するための関連キーワードを生成するキーワード生成装置、キーワード生成方法、およびキーワード生成プログラムに関する。
【背景技術】
【０００２】
近年、屋外に設置されたデジタルサイネージに広告を表示させる広告配信サービスや、携帯電話の位置情報に適した情報を配信するレコメンデーションサービスなどにより、屋外ならではの環境に合わせた情報を提供するＩＣＴ（Information and Communication Technology）サービスが普及している。
【０００３】
このＩＣＴサービスでは、情報を提供するデジタルサイネージが設置されている場所または携帯端末を所持する人の所在位置、および時間に適したお薦め情報等を自動的に選択して配信するものであり、予め把握したさまざまな場所に関する環境、状況、イメージなどのキーワードの中から選択されたキーワードを用いて、配信する情報を特定する。
【０００４】
このような所定の場所等、あるテーマに関連する単語を抽出する技術として、特許文献１に記載の関連誤の抽出装置を利用することが考えられる。
【０００５】
この特許文献１には、ユーザが、所定のテーマを代表する単語群を検索した頻度の合計値を当該ユーザの信頼度として算出し、この信頼度が高いユーザが検索した単語を、当該テーマに関連する関連語として抽出する関連語の抽出装置が記載されている。
【０００６】
この関連語の抽出装置を利用することにより、さまざまな場所に関するキーワードを抽出することが可能にある。
【先行技術文献】
【特許文献】
【０００７】
【特許文献１】特開２００４−３１０４０４号公報
【発明の概要】
【発明が解決しようとする課題】
【０００８】
しかし、この特許文献１に記載の技術を利用して所定の場所に関連する単語を抽出する場合、予め場所に関する単語を個々に登録しておかなければならず、事前の処理が煩雑であり手間がかかるという問題があった。
【０００９】
また上記の特許文献１では、場所に関連する単語を抽出する際に、日時やユーザの特性に関しては考慮されておらず、これらの情報を考慮した高精度の処理が求められていた。
【００１０】
そこで本発明では、場所に関連したキーワード情報を、簡易な操作で精度よく生成可能とする関連キーワード生成装置、関連キーワード生成方法、および関連キーワード生成プログラムを提供することを目的とする。
【課題を解決するための手段】
【００１１】
上記の課題を解決するための、本発明の請求項１に記載の関連キーワード生成装置は、所望の検索キーワードに基づくＷｅｂ情報の検索処理を要求する複数の携帯端末と、前記携帯端末を操作するユーザの識別情報ごとのユーザ属性情報を記憶した管理装置とに、ネットワークを介して接続された関連キーワード生成装置において、前記携帯端末から送信された、当該携帯端末を操作するユーザの識別情報を取得し、取得したユーザの識別情報に対応するユーザ属性情報を前記管理装置から取得するユーザ属性情報取得部と、前記携帯端末からＷｅｂ情報の検索処理のために送信された検索キーワードと、当該検索キーワードが送信されたときの検索日時情報とを取得する検索キーワード取得部と、前記携帯端末から送信された、自端末の位置情報を取得する位置情報取得部と、予め設定された場所名ごとの位置情報の範囲情報を保持し、この範囲情報に基づいて、前記位置情報取得部で取得された位置情報に該当する場所名を特定する場所名特定部と、前記検索キーワード取得部で取得された検索キーワードを前記場所名特定部で特定された場所名ごとに分類し、さらに、前記検索キーワードについて取得された前記検索日時情報および前記ユーザ属性情報に基づいて、検索キーワードごとの、予め設定された前記検索日時情報および前記ユーザ属性情報の分類条件にそれぞれ該当する受信回数の比率を集計するキーワード分類部と、前記キーワード分類部において場所名ごとに分類された検索キーワードの、前記分類条件ごとの集計結果を格納したキーワードＤＢを記憶するキーワードＤＢ記憶部と、所望の場所名と、所望の日時情報またはユーザ属性情報とを含む情報とにより表示条件が指示されると、前記キーワードＤＢ記憶部に記憶されたキーワードＤＢに基づいて、指示された場所名に分類された検索キーワードの受信回数の集計値に、指示された日時情報またはユーザ属性情報の分類条件が該当する受信回数の比率を掛け合わせた値で示される優先指数値を、該当する検索キーワードごとに算出し、算出した優先指数値が高いものから所定数の検索キーワードを抽出し、これに基づいて、所定のデジタルサイネージディスプレイに表示させる表示情報を検索するための関連キーワード情報を生成する関連キーワード生成部とを備えることを特徴とする。
【００１２】
また本発明の請求項２は請求項１に記載の関連キーワード生成装置であり、前記検索キーワード取得部は、取得した検索キーワードに場所名に該当する情報が含まれているかを監視し、前記キーワード分類部は、前記検索キーワード取得部において取得された検索キーワードに場所名に該当する情報が含まれていると判断されたときには、前記検索キーワード取得部で取得された検索キーワードを、当該検索キーワードの情報に含まれる場所名にごとに分類することを特徴とする。
【００１３】
また本発明の請求項３は請求項１または２に記載の関連キーワード生成装置であり、前記検索キーワード取得部は、前記携帯端末において取得されたＷｅｂ情報に場所名に該当する情報が含まれているかを監視し、前記キーワード分類部は、前記携帯端末において取得されたＷｅｂ情報に場所名に該当する情報が含まれていると前記検索キーワード取得部において判断されたときには、前記検索キーワード取得部で取得された検索キーワードを、当該検索キーワードの情報に含まれる場所名にごとに分類することを特徴とする。
【００１４】
また請求項４に記載の関連キーワード生成方法は、所望の検索キーワードに基づくＷｅｂ情報の検索処理を要求する複数の携帯端末と、前記携帯端末を操作するユーザの識別情報ごとのユーザ属性情報を記憶した管理装置とに、ネットワークを介して接続された関連キーワード生成装置が、前記携帯端末から送信された、当該携帯端末を操作するユーザの識別情報を取得し、取得したユーザの識別情報に対応するユーザ属性情報を前記管理装置から取得するユーザ属性情報取得ステップと、前記携帯端末からＷｅｂ情報の検索処理のために送信された検索キーワードと、当該検索キーワードが送信されたときの検索日時情報とを取得する検索キーワード取得ステップと、前記携帯端末から送信された、自端末の位置情報を取得する位置情報取得ステップと、予め設定された場所名ごとの位置情報の範囲情報を保持し、この範囲情報に基づいて、前記位置情報取得ステップで取得された位置情報に該当する場所名を特定する場所名特定ステップと、前記検索キーワード取得ステップで取得された検索キーワードを前記場所名特定ステップで特定された場所名ごとに分類し、さらに、前記検索キーワードについて取得された前記検索日時情報および前記ユーザ属性情報に基づいて、検索キーワードごとの、予め設定された前記検索日時情報および前記ユーザ属性情報の分類条件にそれぞれ該当する取得回数の比率を集計するキーワード分類ステップと、前記キーワード分類ステップにおいて場所名ごとに分類された検索キーワードの、前記分類条件ごとの集計結果を格納したキーワードＤＢを記憶するキーワードＤＢ記憶ステップと、所望の場所名と、所望の日時情報またはユーザ属性情報とを含む情報とにより表示条件が指示されると、前記キーワードＤＢ記憶ステップで記憶されたキーワードＤＢに基づいて、指示された場所名に分類された検索キーワードの受信回数の集計値に、指示された日時情報またはユーザ属性情報の分類条件が該当する受信回数の比率を掛け合わせた値で示される優先指数値を、該当する検索キーワードごとに算出し、算出した優先指数値が高いものから所定数の検索キーワードを抽出し、これに基づいて、所定のデジタルサイネージディスプレイに表示させる表示情報を検索するための関連キーワード情報を生成する関連キーワード生成ステップとを有することを特徴とする。
【００１５】
また本発明の請求項５は請求項４に記載の関連キーワード生成方法であり、前記検索キーワード取得ステップでは、取得した検索キーワードに場所名に該当する情報が含まれているかを監視し、前記キーワード分類ステップでは、前記検索キーワード取得ステップにおいて取得された検索キーワードに場所名に該当する情報が含まれていると判断されたときには、前記検索キーワード取得ステップで取得された検索キーワードを、当該検索キーワードの情報に含まれる場所名にごとに分類することを特徴とする。
【００１６】
また本発明の請求項６は請求項４または５に記載の関連キーワード生成方法であり、前記検索キーワード取得ステップでは、前記携帯端末において取得されたＷｅｂ情報に場所名に該当する情報が含まれているかを監視し、前記キーワード分類ステップでは、前記携帯端末において取得されたＷｅｂ情報に場所名に該当する情報が含まれていると前記検索キーワード取得ステップにおいて判断されたときには、前記検索キーワード取得ステップで取得された検索キーワードを、当該検索キーワードの情報に含まれる場所名にごとに分類することを特徴とする。
【００１７】
また本発明の請求項７に記載の関連キーワード生成プログラムは、請求項４ないし６いずれか１項に記載の関連キーワード生成方法をコンピュータに実行させることを特徴とする。
【発明の効果】
【００１８】
本発明の関連キーワード生成装置、関連キーワード生成方法、および関連キーワード生成プログラムによれば、場所に関連したキーワード情報を、簡易な操作で精度よく生成することができる。
【図面の簡単な説明】
【００１９】
【図１】本発明の一実施形態による関連キーワード生成装置の構成を示すブロック図である。
【図２】本発明の一実施形態による関連キーワード生成装置を利用した情報提供システムの動作を示すシーケンス図である。
【図３】本発明の一実施形態による関連キーワード生成装置に接続された携帯端末において表示されたポータルサイト画面の画面構成図の一例である。
【図４】本発明の一実施形態による関連キーワード生成装置の場所名特定部に設定された場所名テーブルの一例を示す説明図である。
【図５】本発明の一実施形態による関連キーワード生成装置のキーワードＤＢ記憶部に記憶されたキーワードＤＢの一例を示す説明図である。
【図６】本発明の一実施形態による関連キーワード生成装置の関連キーワード生成部において生成された関連キーワード情報の一例を示す説明図である。
【発明を実施するための形態】
【００２０】
〈一実施形態による関連キーワード生成装置を利用した情報提供システムの構成〉
本発明の一実施形態としての、関連キーワード生成装置を利用した情報提供システム１の構成を、図１に示す。
【００２１】
情報提供システム１は、ユーザが携帯する携帯端末１０と、ポータルサイト管理装置２０と、関連キーワード生成装置３０と、表示情報検索装置４０と、デジタルサイネージディスプレイ５０とが、ネットワーク６０を介して接続され構成されている。本実施形態においては、説明を簡略化するためネットワーク６０に携帯端末１０が１台のみ接続されている場合について説明するが、実際には複数の携帯端末１０が接続可能である。
【００２２】
携帯端末１０は、例えば携帯電話、ノート型ＰＣ等であり、入力部１１と、位置情報取得部１２と、表示部１３と、通信部１４とを有する。
【００２３】
入力部１１は、ユーザの操作により、所望のキーワードに基づくＷｅｂ情報の検索処理を行うポータルサイトを利用するためのユーザの識別情報や、ポータルサイトを利用して検索処理を要求するための検索キーワードを入力するものである。ユーザの識別情報を入力する手段としては、例えば表示部１３に表示されたログイン画面中のログインＩＤやパスワードの入力用エリアと、このログインＩＤやパスワードをポータルサイト管理装置２０および関連キーワード生成装置３０に送信するためのログインボタンが利用され、検査卯対象である検索キーワードを入力する手段としては、例えば表示部１３に表示されたポータルサイト画面中のキーワード入力用エリアである検索窓と、この検索窓に入力された検索キーワードおよび操作された時の日時情報を検索日時情報としてポータルサイト管理装置２０および関連キーワード生成装置に送信ための検索ボタンとが利用される。
【００２４】
位置情報取得部１２は、自携帯端末１０の位置情報を取得するものであり、例えばＧＰＳ通信機能、Ｗｉ-Ｆｉ、フェムトセル、Bluetoothなどの無線ＬＡＮ通信機能などを利用して所定の方法で緯度、経度情報を取得する。
【００２５】
表示部１３は、表示画面であり、ネットワーク６０を介して取得したＷｅｂ情報や、ユーザにより入力部１１から入力されたテキスト情報等を表示する。
【００２６】
通信部１４は、ネットワーク６０を介してポータルサイト管理装置２０、関連キーワード生成装置３０、および表示情報検索装置４０との通信を行う。
【００２７】
ポータルサイト管理装置２０は本実施形態により利用されるポータルサイトの運営者が管理する装置であり、ユーザ情報データベース（ＤＢ）記憶部２１と、ユーザ判定部２２とを有する。
【００２８】
ユーザ情報ＤＢ記憶部２１は、予め正規の会員として登録された当該ポータルサイトを利用するユーザの識別情報を、年齢、性別等の属性情報とともに格納したユーザ情報ＤＢを記憶する。
【００２９】
ユーザ判定部２２は、携帯端末１０の入力部１１から送信されたユーザの識別情報をネットワーク６０を介して取得し、この取得した識別情報が、ユーザ情報ＤＢに記憶された正規の会員のものであるか否かを判定する。ここで正規の会員であると判定されたときには、当該識別情報の送信元の携帯端末１０に当該ポータルサイトの利用を許可し、正規の会員ではないと判定されたときには不許可とする。
【００３０】
関連キーワード生成装置３０は、通信部３１と、ユーザ属性情報取得部３２と、検索キーワード取得部３３と、位置情報取得部３４と、場所名特定部３５と、キーワード分類部３６と、キーワードＤＢ記憶部３７と、関連キーワード生成部３８とを有する。
【００３１】
通信部３１は、ネットワーク６０を介して携帯端末１０との通信を行う。
【００３２】
ユーザ属性情報取得部３２は、携帯端末１０から送信された、当該携帯端末１０を操作するユーザの識別情報をネットワーク６０を介して取得し、取得した識別情報に対応するユーザの属性情報（年齢、性別等）を、ポータルサイト管理装置２０のユーザ情報ＤＢ記憶部２１から取得する。
【００３３】
検索キーワード取得部３３は、携帯端末１０から送信された検索キーワードと、検索ボタンが操作され当該検索キーワードが送信されたときの検索日時情報とを、ネットワーク６０を介して取得する。
【００３４】
位置情報取得部３４は、携帯端末１０で取得された位置情報を、ネットワーク６０を介して取得する。
【００３５】
場所名特定部３５は、予め設定された場所名ごとの緯度、経度範囲情報が格納された場所名テーブルを保持し、位置情報取得部１２で取得した位置情報の緯度、経度情報に対応する場所名を、保持している場所名テーブルに格納された情報を参照して特定する。
【００３６】
キーワード分類部３６は、検索キーワード取得部３３で取得された検索キーワードを場所名特定部３５で特定された場所名ごとに分類し、さらに、検索キーワードが取得された検索日時情報および取得されたユーザ属性情報に基づいて、予め設定された分類条件である日時に関する範囲ごと、性別ごと、年齢層ごとに該当する比率を検索キーワードごとに集計する。
【００３７】
キーワードＤＢ記憶部３７は、キーワード分類部３６において場所名ごとに分類された検索キーワードの、分類条件ごとの検索日時情報およびユーザ属性情報の集計結果を格納したキーワードＤＢを記憶する。
【００３８】
関連キーワード生成部３８は、表示情報検索装置４０から送信された、場所、日時情報、ユーザの性別、年齢層等の条件に対応する検索キーワードをキーワードＤＢから抽出し、関連キーワード情報として生成する。
【００３９】
表示情報検索装置４０は、自動表示させたい場所、時間、対象とするユーザの年齢層、性別等の表示条件を関連キーワード生成装置３０に送信することにより関連キーワード情報の生成を指示し、この指示により生成された関連キーワード情報を取得する。そして、取得した関連キーワード情報に基づいて自動表示させる広告等の表示情報をネットワーク６０を介して取得し、表示対象の携帯端末１０やデジタルサイネージディスプレイ５０に送信する。
【００４０】
〈一実施形態による関連キーワード生成装置を利用した情報提供システムの動作〉
本実施形態による情報提供システム１の動作として、ユーザにより検索サイトが利用されて場所名および場所名以外の単語を含むキーワードで検索が行われ、この検索処理により、関連キーワード情報の生成に利用されるキーワードＤＢが更新される場合について、図２のシーケンス図を参照して説明する。
【００４１】
まず、ユーザにより携帯端末１０の入力部１１により、表示部１３に表示されたログイン画面中の入力用エリアにポータルサイトを利用するためのユーザ識別情報としてログインＩＤおよびパスワードが入力され、さらにこのログイン画面中のログインボタンが操作されることにより、入力されたログインＩＤおよびパスワードがポータルサイト管理装置２０および関連キーワード生成装置３０に送信される（Ｓ１）。
【００４２】
ポータルサイト管理装置２０では、携帯端末１０からネットワーク６０を介してログインＩＤおよびパスワードが受信されると、ユーザ判定部２２においてこれらが取得され、この取得されたログインＩＤおよびパスワードが、予めユーザ情報ＤＢ記憶部２１のユーザ情報ＤＢに記憶された正規の会員のものであるか否かが判定される。ここでは、正規の会員であると判定され、当該識別情報の送信元の携帯端末１０に当該ポータルサイトの利用が許可されたものとする。
【００４３】
関連キーワード生成装置３０では、携帯端末１０からログインＩＤおよびパスワード等のユーザ識別情報が受信されると、通信部３１を介してユーザ属性情報取得部３２においてこれらの情報が取得され（Ｓ２）、この取得されたユーザ識別情報に対応するユーザの属性情報（年齢、性別等）が、ポータルサイト管理装置２０のユーザ情報ＤＢ記憶部２１から取得される（Ｓ３）。
【００４４】
次に、ユーザにより携帯端末１０の入力部１１により、表示部１３に表示されたポータルサイト画面中の検索窓に検索対象である検索キーワードが入力される。
【００４５】
本実施形態の例として、ポータルサイト画面中の検索窓に場所名および場所名以外の単語を含む検索キーワードが入力されたときのポータルサイト画面の画面構成図を、図３（ａ）および（ｂ）に示す。
【００４６】
図３（ａ）は、表示部１３に表示されたポータルサイト画面１００の検索窓１１０に、検索キーワード「横浜  観光」が入力されたときの例である。また、図３（ｂ）は、同様のポータルサイト画面１００の検索窓１１０に、検索キーワード「銀座  ブランド」が入力されたときの例である。
【００４７】
そして、このポータルサイト画面１００中の検索ボタン１２０が操作されることにより、入力された検索キーワードおよび操作された時の日時情報が、検索日時情報として関連キーワード生成装置３０に送信される。
【００４８】
また携帯端末１０では、位置情報取得部１２において所定時間間隔で自携帯端末１０の位置情報として緯度、経度情報が取得されており、入力部１１で入力された検索キーワードが送信される際に、取得した最新の位置情報も関連キーワード生成装置３０に送信される（Ｓ４）。
【００４９】
関連キーワード生成装置３０では、携帯端末１０から受信された検索キーワードおよび検索日時情報が通信部３１を介して検索キーワード取得部３３で取得され、また携帯端末１０から受信された位置情報が通信部３１を介して位置情報取得部３４で取得される（Ｓ５）。
【００５０】
次に場所名特定部３５において、予め設定された場所名ごとの緯度、経度範囲情報が格納された場所名テーブルが参照されて、位置情報取得部３４で取得された位置情報に対応する場所名が特定される（Ｓ６）。
【００５１】
場所名特定部３５に設定された場所名テーブルの一例を、図４に示す。この場所名テーブルでは、場所名「銀座」に対応する緯度、経度範囲情報範囲として「緯度：35度40分26.018秒〜35度40分30.234、経度 139度46分9.782秒〜139度4７分0.023」が格納され、場所名「六本木」に対応する緯度、経度範囲情報範囲として「緯度：35度40分35.018秒〜35度40分37.234、経度 139度46分4.782秒〜139度4７分5.023」が格納され、場所名「横浜」に対応する緯度、経度範囲情報範囲として「緯度：35度40分23.018秒〜35度40分25.234、経度 139度45分9.782秒〜139度46分0.023」が格納されている。
【００５２】
次にキーワード分類部３６において、検索キーワード取得部３３で取得された検索キーワードが場所名特定部３５で特定された場所名ごとに分類される。そして、分類された検索キーワードが、該当する場所名の検索キーワードとして受信した回数がそれぞれ集計される。
【００５３】
さらにキーワード分類部３６において、場所名ごとに分類された検索キーワードに対応するユーザ識別情報がユーザ属性情報取得部３２から取得されるとともに、対応する検索日時情報が検索キーワード取得部３３から取得され、予め設定された曜日や時間帯等の日時に関する範囲、性別、年齢層等の分類条件に該当する比率が検索キーワードごとに分類され集計される。
【００５４】
そして、キーワード分類部３６で場所名ごとに分類された検索キーワードの、分類条件ごとの該当比率を格納したキーワードＤＢが、キーワードＤＢ記憶部３７に記憶される（Ｓ７）。
【００５５】
キーワードＤＢ記憶部３７に記憶されたキーワードＤＢの一例を、図５に示す。
【００５６】
図５には場所名「六本木」に分類された検索キーワードについて、受信した回数が上位のものを示しており、日時に関する範囲の分類条件が「平日」および「休日」に設定され、性別の分類条件が「男性」および「女性」に設定され、年齢層の分類条件が「１０〜２０代」、「３０〜４０代」、および「５０〜６０代」に設定されている場合を示している。
【００５７】
そして、最も受信した回数が多い検索キーワード「観光バス」については受信したときの検索日時情報が「平日」に該当するものが３０％、「休日」に該当するものが７０％であり、性別が「男性」に該当するものが４０％、「女性」に該当するものが６０％であり、年齢層が「１０〜２０代」に該当するものが５％、「３０〜４０代」に該当するものが５０％、「５０〜６０代」に該当するものが４５％であることが示されている。
【００５８】
また、２番目に受信した回数が多い検索キーワード「映画」については受信したときの検索日時情報が「平日」に該当するものが２０％、「休日」に該当するものが８０％であり、性別が「男性」に該当するものが５５％、「女性」に該当するものが４５％であり、年齢層が「１０〜２０代」に該当するものが６０％、「３０〜４０代」に該当するものが３０％、「５０〜６０代」に該当するものが１０％であることが示されている。
【００５９】
このキーワードＤＢは、検索キーワードが受信される都度更新されて記憶される。このようにキーワードＤＢが記憶された状態で、表示情報検索装置４０により自動表示させたい場所、日時情報、ターゲットとしたいユーザの性別、年齢層等の表示条件が関連キーワード生成装置３０に送信されることで、関連キーワード情報の生成が指示される（Ｓ８）。
【００６０】
関連キーワード生成装置３０では、表示情報検索装置４０から表示条件が送信され関連キーワード情報の生成が指示されると、関連キーワード生成部３８においてこれらの情報が取得され、取得された表示条件に対応する関連キーワード情報が生成される（Ｓ９）。
【００６１】
関連キーワード生成部３８において関連キーワード情報の生成処理が行われる際には、検索キーワードごとに表示の優先指数値を算出し、この優先指数値に基づき、予め設定されたルールに従ってキーワードＤＢから検索キーワードが抽出されることで関連キーワード情報が生成される。ここでは、予めルールとして、表示の優先指数値の高い順に１０個の検索キーワードを抽出するように設定されている場合について説明する。
【００６２】
例えば表示条件として、表示させたい場所の場所名「六本木」、日時情報「休日」が送信された場合には、図５のキーワードＤＢに基づいて、検索キーワード「観光バス」に関しては、受信回数９６２（回）に日時範囲「休日」の比率「７０％」が掛け合わされ、「６７３」が表示の優先指数値として算出される。また、検索キーワード「映画」に関しては、受信回数７３６（回）に日時範囲「休日」の比率「８０％」が掛け合わされ、「５８９」が表示の優先指数値として算出される。
【００６３】
また、別の場合に表示条件として、表示させたい場所の場所名「六本木」、日時情報「休日」、およびターゲットとしたいユーザの性別「男性」が送信された場合には、図５のキーワードＤＢに基づいて、検索キーワード「観光バス」に関しては、受信回数９６２（回）に日時範囲「休日」の比率「７０％」が掛け合わされた値「６７３」と、受信回数９６２（回）に性別「男性」の比率「４０％」が掛け合わされた値「３８５」との平均値、「５２９」が表示の優先指数値として算出される。また、検索キーワード「映画」に関しては、受信回数７３６（回）に日時範囲「休日」の比率「８０％」が掛け合わされた値「５８９」と、受信回数７３６（回）に性別「男性」の比率「５５％」が掛け合わされた値「４０５」との平均値、「４９７」が表示の優先指数値として算出される。
【００６４】
また、別の場合に表示条件として、表示させたい場所の場所名「六本木」、日時情報「休日」、ターゲットとしたいユーザの性別「男性」、ユーザの年齢層「１０〜２０代」が送信された場合には、図５のキーワードＤＢに基づいて、検索キーワード「観光バス」に関しては、受信回数９６２（回）に日時範囲「休日」の比率「７０％」が掛け合わされた値「６７３」と、受信回数９６２（回）に性別「男性」の比率「４０％」が掛け合わされた値「３８５」と、受信回数９６２（回）に年齢層「１０〜２０代」の比率「５％」が掛け合わされた値「４８」の平均値、「３６９」が表示の優先指数値として算出される。また、検索キーワード「映画」に関しては、受信回数７３６（回）に日時範囲「休日」の比率「８０％」が掛け合わされた値「５８９」と、受信回数７３６（回）に性別「男性」の比率「５５％」が掛け合わされた値「４０５」と、受信回数７３６（回）に年齢層「１０〜２０代」の比率「６０％」が掛け合わされた値「４４２」の平均値、「４７９」が表示の優先指数値として算出される。
【００６５】
次に、それぞれの表示条件の場合において算出された表示の優先指数値に基づいて、予め設定されたルールにより検索キーワードが抽出され、関連キーワード情報として生成される。生成された関連キーワード情報の一例を、図６に示す。
【００６６】
図６は、表示条件として、表示させたい場所の場所名「六本木」、日時情報「休日」、ターゲットとしたいユーザの性別「男性」、ユーザの年齢層「１０〜２０代」が送信されたときに、予め設定されたルールにより優先度指数値が高いものから順に抽出された１０個の検索キーワードで生成された関連キーワード情報を示している。
【００６７】
このように、関連キーワード情報は、指示された表示条件（日時情報でしめされる「いつ」、位置情報で示される「どこで」、性別や年齢層で示される「誰が」）に対応した、表示の優先指数値の順位が高い検索キーワードで生成される。
【００６８】
生成された関連キーワード情報は、表示条件を指示した表示情報検索装置４０に送信される。
【００６９】
そして表示情報検索装置４０において、取得された関連キーワード情報に基づいて自動表示させる広告等の表示情報がネットワーク６０を介して取得され、表示対象の携帯端末１０やデジタルサイネージディスプレイ５０に送信される（Ｓ１０）。
【００７０】
そして携帯端末１０やデジタルサイネージディスプレイ５０では、利用日時やユーザの特性に応じて送信された広告等が表示される（Ｓ１１、Ｓ１２）。
【００７１】
以上の本実施形態によれば、携帯端末やデジタルサイネージディスプレイに自動表示させる広告等の情報を検索するための関連キーワード情報を、ユーザが入力した検索キーワード情報を利用して簡易な操作で生成することができる。またこの生成した関連キーワード情報は、場所、日時、およびユーザ特性等に基づいて生成されるため、携帯端末やデジタルサイネージディスプレイを利用するユーザに高い精度の情報を提供することができる。
【００７２】
また本実施形態においては、ユーザが入力した検索キーワード情報を利用して関連キーワード情報を生成する際に、検索キーワードが入力された携帯端末の位置情報に基づいて場所名を特定可能であるため、検索キーワードに場所名に該当する単語が含まれない場合にも、この検索キーワードの情報を利用して関連キーワード情報の生成に利用することができる。
【００７３】
〈他の実施形態〉
本実施形態においては、キーワード分類部３６において検索キーワードが場所名ごとに分類される際に場所名特定部３５において位置情報に基づいて特定された場所名が利用される場合について説明したが、携帯端末１０で入力され送信された検索キーワードに場所名に該当する単語が含まれるか否かを関連キーワード生成装置３０の検索キーワード取得部３３において監視し、場所名に該当する単語が含まれていた場合（図３（ａ）に示す「横浜」や、図３（ｂ）に示す「銀座」等）には、この単語により特定される場所名を、位置情報に基づいて特定された場所名よりも優先してキーワード分類部３６において利用するようにしてもよい。
【００７４】
また別の形態として、携帯端末１０においてユーザが閲覧したＷｅｂ情報を関連キーワード生成装置３０の検索キーワード取得部３３において監視し、ユーザが閲覧したＷｅｂ情報の中に場所名に該当する単語が含まれていた場合には、この単語により特定される場所名を、位置情報に基づいて特定された場所名よりも優先してキーワード分類部３６において利用するようにしてもよい。
【００７５】
このように処理することにより、ユーザが意識的に取得した情報から場所名を特定することができ、さらに精度の高い関連キーワード情報を生成することができる。
【００７６】
また、上記の各実施形態における関連キーワード生成装置の機能構成をプログラム化してコンピュータに組み込むことにより、当該コンピュータを関連キーワード生成装置として機能させる関連キーワード生成プログラムを構築することも可能である。
【符号の説明】
【００７７】
１…情報提供システム
１０…携帯端末
１１…入力部
１２…位置情報取得部
１３…表示部
１４…通信部
２０…ポータルサイト管理装置
２１…ユーザ情報ＤＢ記憶部
２２…ユーザ判定部
３０…関連キーワード生成装置
３１…通信部
３２…ユーザ属性情報取得部
３３…検索キーワード取得部
３４…位置情報取得部
３５…場所名特定部
３６…キーワード分類部
３７…キーワードＤＢ記憶部
３８…関連キーワード生成部
４０…表示情報検索装置
５０…デジタルサイネージディスプレイ
６０…ネットワーク
１００…ポータルサイト画面
１１０…検索窓
１２０…検索ボタン
【図１】
0005427686.tif 000002
【図２】
0005427686.tif 000003
【図３】
0005427686.tif 000004
【図４】
0005427686.tif 000005
【図５】
0005427686.tif 000006
【図６】
0005427686.tif 000007